(57)【要約】【課題】  天井器具のメンテナンス作業が容易な状態を確保しつつ、吊りボルトを介して取り付けられた天井材の落下を防止することのできる天井材落下防止構造。【解決手段】  吊りボルト（２１）を介して取り付けられた天井材（２３，２４，２５）の落下を防止する落下防止構造。天井材の落下を防止するように天井板（２５）の下面を覆う複数の防護線材（１）と、吊りボルトに取り付けられて、各防護線材に所要の張力を付与した状態で各防護線材の端部（１ａ，１ｂ）を位置決め保持する端部保持部材（２：２ａ，２ｂ，２ｃ）とを備えている。【選択図】  図３
2014234653.tif 000002
【特許請求の範囲】
【請求項１】
吊りボルトを介して取り付けられた天井材の落下を防止する落下防止構造であって、
前記天井材の落下を防止するように天井板の下面を覆う複数の防護線材と、
前記吊りボルトに取り付けられて、各防護線材に所要の張力を付与した状態で各防護線材の端部を位置決め保持する端部保持部材とを備えていることを特徴とする天井材落下防止構造。
【請求項２】
前記端部保持部材は、前記吊りボルトが貫通した状態で前記吊りボルトに取り付けられ且つ前記防護線材用の貫通孔が形成された保持本体部と、前記防護線材用の貫通孔を貫通した前記防護線材を前記保持本体部に留める留め具とを有することを特徴とする請求項１に記載の天井材落下防止構造。
【請求項３】
前記留め具は、前記防護線材を包囲するように固く密着された密着要素を有することを特徴とする請求項２に記載の天井材落下防止構造。
【請求項４】
前記吊りボルトに取り付けられて、前記防護線材の中間部を支持する中間支持部材をさらに備えていることを特徴とする請求項１乃至３のいずれか１項に記載の天井材落下防止構造。
【請求項５】
前記中間支持部材は、前記防護線材が巻き付けられる巻き付け部が設けられた支持本体部と、該支持本体部の軸部を前記吊りボルトに対して並列的に取り付ける並列取り付け部材とを有することを特徴とする請求項４に記載の天井材落下防止構造。
【請求項６】
前記支持本体部は、並列用の吊りボルトと、該並列用の吊りボルトの下端に取り付けられた前記巻き付け部とを有することを特徴とする請求項５に記載の天井材落下防止構造。
【請求項７】
前記並列取り付け部材は、前記吊りボルトが貫通した状態で前記吊りボルトに取り付けられ、且つ前記並列用の吊りボルトのための貫通孔を有することを特徴とする請求項６に記載の天井材落下防止構造。
【請求項８】
前記中間支持部材は、前記防護線材が巻き付けられる巻き付け部が設けられた支持本体部と、該支持本体部の軸部を前記吊りボルトに対して同軸に取り付ける同軸取り付け部材とを有することを特徴とする請求項４に記載の天井材落下防止構造。
【請求項９】
前記支持本体部は、延長用の吊りボルトと、該延長用の吊りボルトの下端に取り付けられた前記巻き付け部とを有することを特徴とする請求項８に記載の天井材落下防止構造。
【請求項１０】
前記同軸取り付け部材は、ナットの形態を有することを特徴とする請求項８または９に記載の天井材落下防止構造。
【請求項１１】
前記防護線材は、釣糸の形態を有することを特徴とする請求項１乃至１０のいずれか１項に記載の天井材落下防止構造。
【請求項１２】
請求項１乃至１１のいずれか１項に記載の天井材落下防止構造の施工方法であって、
前記防護線材が巻き付けられる巻き付け部が設けられて該防護線材の中間部を支持する中間支持部材を前記吊りボルトに取り付けることと、
前記防護線材に所定の向きに張力を付与する際に、前記巻き付け部に対して前記所定の向きとは逆の向きの力を一時的に付与してバランスをとることとを含むことを特徴とする天井材落下防止構造の施工方法。
【発明の詳細な説明】
【技術分野】
【０００１】
本発明は、天井材落下防止構造、およびその施工方法に関する。さらに詳細には、本発明は、吊りボルトを介して取り付けられた天井材の落下の防止に関するものである。
【背景技術】
【０００２】
従来、梁またはスラブに取り付けられた吊りボルトの下端にハンガーを取り付け、ハンガーに野縁受けを取り付け、野縁受けに野縁を取り付け、野縁に天井板をビス留めすることにより、天井を形成している場合が多い。先の東日本大震災では、吊りボルトを介して取り付けられた天井材（野縁受け、野縁、天井板など）が落下した事例が報告されている。地震による天井材の落下は、天井板と空調機器とで揺れ方が異なること、揺れの比較的大きい天井板が壁に衝突することなどに起因する。
【発明の概要】
【発明が解決しようとする課題】
【０００３】
例えば既設の建物において地震などによる天井材の落下を防止するには、天井板の下面を覆うようにネット（網状の部材）を設置する手法が比較的簡素で且つ有効である。しかしながら、ネットを用いて天井材の落下を防止する手法では、天井器具（照明器具、空調器具など）のメンテナンスの度にネットを取り外す必要があるため不便である。
【０００４】
本発明は、前述の課題に鑑みてなされたものであり、天井器具のメンテナンス作業が容易な状態を確保しつつ、吊りボルトを介して取り付けられた天井材の落下を防止することのできる天井材落下防止構造、およびその施工方法を提供することを目的とする。
【課題を解決するための手段】
【０００５】
前記課題を解決するために、本発明の第１形態では、吊りボルトを介して取り付けられた天井材の落下を防止する落下防止構造であって、
前記天井材の落下を防止するように天井板の下面を覆う複数の防護線材と、
前記吊りボルトに取り付けられて、各防護線材に所要の張力を付与した状態で各防護線材の端部を位置決め保持する端部保持部材とを備えていることを特徴とする天井材落下防止構造を提供する。
【０００６】
本発明の第２形態では、第１形態の天井材落下防止構造の施工方法であって、
前記防護線材に所定の向きに張力を付与する際に、対応する吊りボルトの下端に対して前記所定の向きとは逆の向きの張力を一時的に付与してバランスをとることを含むことを特徴とする天井材落下防止構造の施工方法を提供する。
【発明の効果】
【０００７】
本発明では、天井板の下面を覆う複数の防護線材に所要の張力が付与された状態で、その端部が吊りボルトから得られる十分な支持力を利用して端部保持部材により安定的に位置決め保持されている。したがって、天井板の下面を覆う複数の防護線材のピッチを所要値に設定することにより、天井器具のメンテナンス作業が容易な状態を確保しつつ、吊りボルトを介して取り付けられた天井材の落下を確実に防止することができる。
【図面の簡単な説明】
【０００８】
【図１】本発明の実施形態にかかる天井材落下防止構造の全体構成を概略的に示す平面図である。
【図２】図１の線Ａ−Ａに沿った断面図である。
【図３】図２におけるＢ部の拡大断面図である。
【図４】図２におけるＣ部の拡大断面図である。
【図５】端部保持部材の保持本体部の構成を概略的に示す図である。
【図６】図２におけるＤ部の拡大断面図である。
【図７】中間支持部材の並列取り付け部材の構成を概略的に示す図である。
【図８】中間支持部材の巻き付け部の構成を概略的に示す図である。
【図９】一対の釣糸がその交差位置においてリングの作用により束ねられる様子を示す図である。
【図１０】変形例にかかる中間支持部材の構成を概略的に示す図である。
【発明を実施するための形態】
【０００９】
本発明の実施形態を、添付図面に基づいて説明する。図１は、本発明の実施形態にかかる天井材落下防止構造の全体構成を概略的に示す平面図である。図２は、図１の線Ａ−Ａに沿った断面図である。図３は、図２におけるＢ部の拡大断面図である。図４は、図２におけるＣ部の拡大断面図である。本実施形態では、既設の建物において吊りボルトを介して取り付けられた天井材の落下の防止に対して本発明を適用している。
【００１０】
本実施形態の天井材落下防止構造が適用される天井では、図２〜図４に示すように、従来技術にしたがって、スラブ（または梁）２０（図２を参照）に取り付けられた吊りボルト２１の下端にハンガー２２が取り付けられ、ハンガー２２に野縁受け２３が取り付けられている。そして、野縁受け２３に野縁２４が取り付けられ、野縁２４に天井板２５がビス留めされている。
【００１１】
本実施形態の天井材落下防止構造は、図１および図２に示すように、吊りボルト２１を介して取り付けられた天井材（２３〜２５）の落下を防止するように天井板２５の下面を縦横に覆う複数の釣糸１を備えている。防護線材としての釣糸１の端部１ａ，１ｂは、図３および図４に示すように、釣糸１に所要の張力を付与した状態で、端部保持部材２に位置決め保持されている。
【００１２】
端部保持部材２は、図３〜図５に示すように、吊りボルト２１用の切り欠き部２ａａが形成されたＬ字型の断面を有するアングル部材２ａと、釣糸１用の貫通孔２ｂａが形成された押さえプレート部材２ｂ（図５では図面の明瞭化のために破線で示す）と、貫通孔２ｂａを貫通した釣糸１の端部１１ａ，１１ｂを押さえプレート部材２ｂに位置決め保持するために釣糸１にかしめられた複数の錘２ｃとを備えている。錘２ｃは、例えば鉛のような軟らかい金属により形成された釣り用の錘であって、釣糸１を包囲するように取り付けられた後に、外力を作用させて釣糸１の周囲に固く密着されている。
【００１３】
アングル部材２ａは、吊りボルト２１用の案内溝としての切り欠き２ａａを利用して、吊りボルト２１に対して所要の位置に位置決めされている。具体的に、アングル部材２ａは、吊りボルト２１にハンガー２２を取り付けているナット２６の上に載置されている。そして、アングル部材２ａの上に押さえプレート部材２ｂを重ねて、例えば一対のボルト・ナット（不図示：図５に一対のボルト孔を示す）によりアングル部材１２ａと押さえプレート部材１２ｂとがねじ締結されている。こうして、アングル部材２ａと押さえプレート部材２ｂとからなる保持本体部が、吊りボルト２１が貫通した状態で吊りボルト２１に取り付けられている。
【００１４】
釣糸１の一端１ａは、図３に示すように、天井板２５に形成された貫通孔２５ａを通り、押さえプレート部材２ｂに形成された貫通孔２ｂａを通った後に、複数の錘２ｃの作用によりプレート部材２ｂに位置決め保持されている。一方、釣糸１の他端１ｂは、図４に示すように、天井板２５に形成された貫通孔２５ａを通り、押さえプレート部材２ｂに形成された貫通孔２ｂａを通った後に、例えば釣具用リールのような巻き取り器具１１により巻き取られ、所要の張力が付与された状態で、複数の錘２ｃの作用によりプレート部材２ｂに位置決め保持されている。
【００１５】
釣糸１に張力を付与するときに貫通孔２５ａ廻りの天井板２５の隅部により釣糸１が損傷を受けないように、また貫通孔２５ａが形成された天井板２５の外観を損なわないように、図３および図４に示すような断面を有する保護部材３が用いられている。保護部材３は、天井板２５の下面に当接する有孔平板部３ａと、貫通孔２５ａに嵌め込まれる円筒部３ｂとを有し、釣糸１が接する部分は滑らかな曲面状に形成されている。保護部材３は、例えば接着剤を用いて天井板２５に取り付けられているか、あるいは天井板２５の上側へ突出した円筒部３ｂの上端部に螺合するナットの締め付け作用により天井板２５に取り付けられている。
【００１６】
本実施形態では、適宜選択された釣糸１の両端１ａと１ｂとの間であって図１において参照符号１ｃで示す中間位置（図１中正方形で示す位置）に中間支持部材を設け、その中間支持部材の巻き付け部に釣糸１の中間部分が巻き付けられている。図２におけるＤ部の拡大断面図である図６に示すように、中間支持部材４は、並列用の吊りボルト４１と、並列用の吊りボルト４１の下端に取り付けられた巻き付け部４２と、並列用の吊りボルト４１を吊りボルト２１に対して並列的に取り付ける並列取り付け部材４３とを有する。
【００１７】
並列取り付け部材４３は、図７に示すように、吊りボルト２１用の切り欠き部４３ａａおよび並列用の吊りボルト４１のための貫通孔４３ａｂが形成されたＨ型の断面を有するＨ型部材４３ａと、一対の押さえプレート部材４３ｂ（図７では図面の明瞭化のために破線で示す）とを有する。Ｈ型部材４３ａは、吊りボルト２１用の案内溝としての切り欠き４３ａａを利用して、吊りボルト２１に対して所要の位置に位置決めされている。具体的に、Ｈ型部材４３ａは、吊りボルト２１にハンガー２２を取り付けているナット２６の上に載置されている。
【００１８】
そして、ナット２６の上に載置されたＨ型部材４３ａの上に押さえプレート部材４３ｂを重ねて、例えばボルト・ナット（図７に対応するボルト孔を示す）４３ｃによりＨ型部材４３ａと押さえプレート部材４３ｂとがねじ締結されている。こうして、Ｈ型部材４３ａと押さえプレート部材４３ｂとを有する並列取り付け部材４３が、吊りボルト２１が貫通した状態で吊りボルト２１に取り付けられている。
【００１９】
並列用の吊りボルト４１は、Ｈ型部材４３ａに形成された貫通孔４３ａｂを貫通した状態で、例えばナット締めによりＨ型部材４３ａに取り付けられている。並列用の吊りボルト４１の下端には、一対の巻き付け部４２が取り付けられている。巻き付け部４２は、図８に示すように、円形状の断面を有するリング部材４２ａと、リング部材４２ａの円形状の開口部を部分的に覆うようにリング部材４２ａに取り付けられたプレート４２ｂ（図８では図面の明瞭化のために破線で示す）とにより構成されている。
【００２０】
プレート４２ｂの中央には、並列用の吊りボルト４１のための貫通孔４２ｂａが形成されている。したがって、一体化されたリング部材４２ａとプレート４２ｂとからなる巻き付け部４２は、プレート４２ｂの中央貫通孔４２ｂａを吊りボルト４１が貫通した状態で、プレート４２ｂを挟む一対のナットの締め付け作用により、並列用の吊りボルト４１の所要の高さ位置に取り付けられている。
【００２１】
再び図６を参照すると、下段の巻き付け部４２の下側には、天井板２５に形成された貫通孔２５ａを覆うためのカバープレート４４が取り付けられている。カバープレート４４は、例えば円形状の外形を有し、その中央には並列用の吊りボルト４１のための貫通孔（不図示）が形成されている。したがって、カバープレート４４は、その中央貫通孔を吊りボルト４１が貫通した状態で、カバープレート４４の下側のナットの締め付け作用により、並列用の吊りボルト４１の所要の高さ位置に取り付けられている。
【００２２】
図６において図示を省略した一端１ａから天井板２５の下面に沿って右方向へ延びてきた釣糸１は、図６中の矢印にしたがって、下段の巻き付け部４２のリング部材４２ａの左側円形断面部分の内側を経て、上方へ延びている。下段の巻き付け部４２から上方へ延びた釣糸１は、上段の巻き付け部４２のリング部材４２ａの左側円形断面部分に巻き付けられた後に、下方へ延びている。上段の巻き付け部４２の左側円形断面部分から下方へ延びた釣糸１は、下段の巻き付け部４２の下側ナットの下面を経て、再び上方へ延びている。
【００２３】
ナットの下面を介して再び上方へ延びた釣糸１は、上段の巻き付け部４２のリング部材４２ａの右側円形断面部分に巻き付けられ後に、再び下方へ延びている。上段の巻き付け部４２の右側円形断面部分から再び下方へ延びた釣糸１は、下段の巻き付け部４２のリング部材４２ａの右側円形断面部分の内側を経た後に、天井板２５の下面に沿って、次の中間支持部材４または他端１ｂまで右方向へ延びている。同様に、図６において紙面に垂直な方向に延びる釣糸１も、一対の巻き付け部４２に巻き付けられている。
【００２４】
本実施形態では、図１において一対の釣糸１が交差する多数の位置から適宜選択された交差位置、すなわち参照符号１ｄで示す位置（図１中傾いた楕円で示す位置）において、図９に示すように、一対の釣糸１がリング５の作用により束ねられている。具体的に、リング５は例えば軟らかい金属により形成された円環状または部分円環状の初期形態を有し、外力を作用させてリング５を変形させることにより、変形したリング５が一対の釣糸１に固く密着されている。換言すれば、一対の釣糸１が貫通したリング５をかしめることにより、一対の釣糸１が束ねられている。
【００２５】
本実施形態の天井材落下防止構造において、複数の釣糸１は、吊りボルト２１を介して取り付けられた天井材（２３〜２５）の落下を防止するように天井板２５の下面を縦横に覆う複数の防護線材を構成している。アングル部材２ａおよび押さえプレート部材２ｂは、吊りボルト２１が貫通した状態で吊りボルト２１に取り付けられ且つ釣糸１用の貫通孔２ｂａが形成された保持本体部を構成している。
【００２６】
錘２ｃは、端部１ａ，１ｂにおいて釣糸１を包囲するように固く密着された密着要素であって、押さえプレート部材２ｂの貫通孔２ｂａを貫通した釣糸１を保持本体部（２ａ，２ｂ）に留める留め具を構成している。そして、保持本体部（２ａ，２ｂ）および錘２ｃは、吊りボルト２１に取り付けられて各釣糸１に所要の張力を付与した状態で各釣糸１の端部１ａ，１ｂを位置決め保持する端部保持部材を構成している。
【００２７】
並列用の吊りボルト４１と、その下端に取り付けられて釣糸１が巻き付けられる一対の巻き付け部４２とは、中間支持部材４の支持本体部を構成している。Ｈ型部材４３ａおよび一対の押さえプレート部材４３ｂは、支持本体部（４１，４２）の軸部（ひいては並列用の吊りボルト４１の軸部）を吊りボルト２１に対して並列的に取り付ける並列取り付け部材４３を構成している。並列取り付け部材４３は、吊りボルト２１が貫通した状態で吊りボルト２１に取り付けられ、且つ並列用の吊りボルト４１のための貫通孔４３ａｂを有する。支持本体部（４１，４２）および並列取り付け部材４３は、吊りボルト２１に取り付けられて釣糸１の中間部を支持する中間支持部材４（４１〜４３）を構成している。
【００２８】
本実施形態にかかる天井材落下防止構造の施工に際して、天井板２５の下面に沿って縦横に配置すべき複数の釣糸１の端部１ａ，１ｂおよび中間部１ｃに対応する天井板２５の位置において、天井板２５に貫通孔２５ａを形成する。次いで、各釣糸１の端部１ａ，１ｂに対応する吊りボルト２１に保持本体部（２ａ，２ｂ）を取り付け、所定の釣糸１の中間部１ｃに対応する吊りボルト２１に中間支持部材４（４１〜４３）を取り付ける。また、保持本体部（２ａ，２ｂ）の下方の貫通孔２５ａに保護部材３を嵌め込んで取り付ける。
【００２９】
そして、天井板２５に形成された貫通孔２５ａおよび押さえプレート部材２ｂの貫通孔２ｂａを通過させた釣糸１に対して、複数の錘２ｃをかしめることにより釣糸１の一端１ａを押さえプレート部材２ｂに位置決め保持する。次いで、一端１ａが位置決め保持された釣糸１の他端１ｂを対応する保持本体部（２ａ，２ｂ）の位置まで導き、貫通孔２５ａおよび貫通孔２ｂａを通過させた釣糸１に巻き取り器具１１を利用して所要の張力を付与した状態で、複数の錘２ｃをかしめることにより釣糸１の他端１ｂを押さえプレート部材２ｂに位置決め保持する。
【００３０】
中間支持部材４（４１〜４３）の巻き付け部４２に中間部分を巻き付けるべき釣糸１については、一端１ａが位置決め保持された釣糸１を中間支持部材４の位置まで導き、対応する天井板２５の貫通孔２５ａを通過させた釣糸１を一対の巻き付け部４２に巻き付ける。このとき、釣糸１に所定の向き（図６では右向き）に張力を付与する際に、例えば施工用の釣糸などを利用して、下段の巻き付け部４２に対して逆の向き（図６では左向き）の力（張力）を一時的に付与することによりバランスをとることが望ましい。
【００３１】
そして、一対の巻き付け部４２を経た釣糸１の他端１ｂを対応する保持本体部（２ａ，２ｂ）の位置まで導き、貫通孔２５ａおよび貫通孔２ｂａを通過させた釣糸１に巻き取り器具１１を利用して所要の張力を付与した状態で、複数の錘２ｃをかしめることにより釣糸１の他端１ｂを押さえプレート部材２ｂに位置決め保持する。また、カバープレート４４を下段の巻き付け部４２の下側に取り付けて、天井板２５の貫通孔２５ａを覆う。さらに、互いに直交する一対の釣糸１の交差位置１ｄにおいて、係合したリング５をかしめることにより一対の釣糸１を束ねる。
【００３２】
以上のように、本実施形態にかかる天井材落下防止構造では、天井板２５の下面を縦横に覆う複数の釣糸１に所要の張力が付与された状態で、その端部１ａ，１ｂが吊りボルト２１から得られる十分な支持力を利用して端部保持部材２（２ａ〜２ｃ）により安定的に位置決め保持されている。したがって、天井板２５の下面を縦横に覆う複数の釣糸１のピッチを所要値に設定することにより、天井器具のメンテナンス作業が容易な状態を確保しつつ、吊りボルト２１を介して取り付けられた天井材（２３〜２５）の落下を確実に防止することができる。
【００３３】
また、本実施形態では、天井板２５の下面を縦横に覆う防護線材として、例えば透明な釣糸１を用いているので、天井面の外観を損なうことなく天井材（２３〜２５）の落下を防止することができる。また、本実施形態では、天井材（２３〜２５）や内壁からではなく、吊りボルト２１から十分な支持力を安定的に得ているので、支持耐力的に有利なだけでなく、壁面や天井面の美観を損なうことがない。
【００３４】
また、本実施形態では、所定の釣糸１の中間部分が中間支持部材４の巻き付け部４２に巻き付けられているので、釣糸１に対して所要の張力を安定的に作用させることができるだけでなく、所要の直線状の経路に沿って釣糸１を安定的に敷設することができる。また、本実施形態では、リング５をかしめることにより一対の釣糸１を束ねているので、縦横に配置された複数の釣糸１により全体として形成される網目が乱れにくく、天井材（２３〜２５）の落下を確実に防止することができる。
【００３５】
また、本実施形態では、上述したように、施工に際して既設の天井板２５を取り外す必要がないので、施工のコストおよび工期の低減を図ることができるだけでなく、施工期間に亘って室内空間および／または室内設備を利用することができる。
【００３６】
なお、上述の実施形態では、中間支持部材４において、巻き付け部４２を取り付けるための吊りボルト４１を吊りボルト２１に対して並列的に取り付けている。しかしながら、これに限定されることなく、中間支持部材の具体的な構成については様々な形態が可能である。例えば、図１０に示すように、巻き付け部４２を取り付けるための延長用の吊りボルト４５を長ナット４６により吊りボルト２１に対して同軸に取り付ける変形例も可能である。
【００３７】
図１０の変形例にかかる中間支持部材４Ａでは、延長用の吊りボルト４５の下端に図８に示す巻き付け部４２が取り付けられ、巻き付け部４２のプレート４２ｂの上側に補助巻き付け部４２ｃが付設されている。具体的に、巻き付け部４２は、プレート４２ｂがリング部材４２ａよりも下側になるように延長用の吊りボルト４５に取り付けられている。補助巻き付け部４２ｃは、ナット状の上側部分と円筒状の下側部分とからなり、延長用の吊りボルト４５に螺合している。円筒状の下側部分の外側面には、釣糸１を巻きつけるのに適した滑らかな溝が周方向に沿って形成されている。
【００３８】
図１０において図示を省略した一端１ａから天井板２５の下面に沿って右方向へ延びてきた釣糸１は、図１０中の矢印にしたがって、巻き付け部４２のリング部材４２ａの左側円形断面部分に巻き付けられた後に、補助巻き付け部４２ｃの円筒状の下側部分の外側面に形成された溝に沿って巻き付けられている。補助巻き付け部４２ｃを経た釣糸１は、巻き付け部４２のリング部材４２ａの右側円形断面部分に巻き付けられた後に、天井板２５の下面に沿って、次の中間支持部材４Ａまたは他端１ｂまで右方向へ延びている。
【００３９】
同様に、図１０において紙面に垂直な方向に延びる釣糸１も、リング部材４２ａおよび補助巻き付け部４２ｃに巻き付けられている。図１０の変形例においても、釣糸１に所定の向き（図１０では右向き）に張力を付与する際に、例えば施工用の釣糸などを利用して、巻き付け部４２に対して逆の向き（図１０では左向き）の力を一時的に付与することによりバランスをとることが望ましい。
【００４０】
また、上述の実施形態では、特定の構成を有する端部保持部材２（２ａ〜２ｃ）に基づいて本発明を説明している。しかしながら、これに限定されることなく、端部保持部材の具体的な構成については様々な形態が可能である。
【００４１】
また、上述の実施形態では、天井板２５の下面を縦横に覆う複数の防護線材として、例えば透明な釣糸１を用いている。しかしながら、これに限定されることなく、防護線材の色、材質などについては様々な形態が可能である。また、上述の実施形態では、複数の釣糸１が天井板２５の下面を縦横に覆っている。しかしながら、これに限定されることなく、天井板の下面を覆う複数の防護線材の配置については様々な形態が可能である。例えば、天井板の下面を覆う複数の防護線材が一方向に延びていても良い。
【００４２】
また、上述の実施形態では、既設の建物において吊りボルトを介して取り付けられた天井材の落下の防止に対して本発明を適用している。しかしながら、これに限定されることなく、新設の建物において吊りボルトを介して取り付けられた天井材の落下の防止に対しても同様に本発明を適用することができる。
【符号の説明】
【００４３】
１  釣糸（防護線材）
２  端部保持部材
２ａ  アングル部材
２ｂ  押さえプレート部材
２ｃ  錘
３  保護部材
３ａ  有孔平板部
３ｂ  円筒部
４，４Ａ  中間支持部材
４１  並列用の吊りボルト
４２  巻き付け部
４３  並列取り付け部材
５  リング
２１  吊りボルト
２２  ハンガー
２３  野縁受け
２４  野縁
２５  天井板
【図１】
2014234653.tif 000003
【図２】
2014234653.tif 000004
【図３】
2014234653.tif 000005
【図４】
2014234653.tif 000006
【図５】
2014234653.tif 000007
【図６】
2014234653.tif 000008
【図７】
2014234653.tif 000009
【図８】
2014234653.tif 000010
【図９】
2014234653.tif 000011
【図１０】
2014234653.tif 000012